(57)【要約】【課題】  冷蔵室用棚組立体を提供する。【解決手段】  摺動するまたは垂直に段階的調整可能な棚は、強化ガラスのパネルと２つの開放枠とを有する。２つの開放枠の間にガラスパネルの周縁部が差し込まれ、２つの開放枠は合わせてかしめられる。あるいは、一対の金属棚ブラケットを枠にかしめることにより、棚を垂直に段階的調整可能にしてもよい。垂直に段階的調整可能な棚を、開放枠部材のうちの一方をなくし、単一の外側／最上開放枠部材のみの側枠部に金属棚ブラケットをかしめることにより、さらに簡略化することができる。棚の各々において、杭状突起、頭部および開口等の組立体に利用される種々の部品は、棚がその水平使用位置にある時に視界から隠される。このため、各棚は、非常に望ましい審美的外観を呈し、それでもなお強固であり、妥当な価格で製造し販売することができる。【選択図】  図２
2006187604.tif 000002
【特許請求の範囲】
【請求項１】
各々が開口を画定しかつ複数の杭状突起および杭状突起開口のうちの少なくとも一方を有する一対の実質的に開放した枠部材と、該枠部材間に差し込まれた外側周縁部を有する棚パネルと、を備えた棚組立体であって、該杭状突起が該杭状突起開口内に突出し、該杭状突起が、拡大杭頭部を形成するようにかしめられ、それにより該枠部材および棚パネルを組み立てられた関係で保持する、軸方向終端部を有する、棚組立体。
【請求項２】
少なくとも１つの杭状突起開口を有する少なくとも１つの棚支持体を有し、前記枠部材のうちの少なくとも１つの杭状突起が、該棚支持体の少なくとも１つの杭状突起開口と相互係合し、該最後に述べた杭状突起が、該棚支持体と少なくとも１つの枠部材とを組み立てられた関係で保持するかしめ頭部を有する、請求項１に記載の棚組立体。
【請求項３】
前記複数の杭状突起のうちの少なくとも２つの軸が、前記棚パネルの面に対して実質的に垂直である、請求項１に記載の棚組立体。
【請求項４】
前記複数の杭状突起のうちの少なくとも２つの軸が、前記棚パネルの面に対して実質的に平行である、請求項１に記載の棚組立体。
【請求項５】
前記複数の杭状突起のうちの少なくとも２つの軸が前記棚パネルの面に対して実質的に垂直であり、該複数の杭状突起のうちの少なくとも他の２つの軸が該棚パネルの面に対して実質的に平行である、請求項１に記載の棚組立体。
【請求項６】
前記枠部材のうちの１つが、当該棚組立体が、前記棚パネルが実質的に水平である使用の位置に配置される時に、最上に配置され、該１つの枠部材が最外面を有し、該１つの枠部材の最外面にはかしめ頭部が見えない、請求項１に記載の棚組立体。
【請求項７】
前記枠部材のうちの１つが、当該棚組立体が、前記棚パネルが実質的に水平である使用の位置に配置される時に、最上に配置され、該１つの枠部材が最外面を有し、該１つの枠部材の最外面にはかしめ頭部が見えず、該枠部材の別のものが、該使用の位置において最下に配置され、該別の枠部材が、最外面を有し、該別の枠部材の最外面にはかしめ頭部が見える、請求項１に記載の棚組立体。
【請求項８】
前記枠部材のうちの１つが、当該棚組立体が、前記棚パネルが実質的に水平である使用の位置に配置される時に、最下に配置され、該１つの枠部材が最外面を有し、該１つの枠部材の最外面にはかしめ頭部が見える、請求項１に記載の棚組立体。
【請求項９】
当該棚組立体を、前記棚パネルが実質的に水平である使用の位置で支持する手段を有する、請求項１に記載の棚組立体。
【請求項１０】
当該棚組立体を、前記棚パネルが実質的に水平である使用の位置で支持する手段と、該支持する手段を前記枠部材のうちの１つに対して位置決めする手段と、を有する、請求項１に記載の棚組立体。
【請求項１１】
当該棚組立体を、前記棚パネルが実質的に水平である使用の位置で支持する手段と、該支持する手段を前記枠部材のうちの１つに対して摺動可能に組み立てる手段と、を有する、請求項１に記載の棚組立体。
【請求項１２】
前記枠部材の対を互いに対して位置決めする手段を有する、請求項１に記載の棚組立体。
【請求項１３】
前記枠部材の対を互いに対してスナップ固定する手段を有する、請求項１に記載の棚組立体。
【請求項１４】
前記棚パネルを前記枠部材のうちの１つに対して位置決めする手段を有する、請求項１に記載の棚組立体。
【請求項１５】
前記枠部材が、各々、対向して隔置された実質的に平行な側枠部と対向して隔置された実質的に平行な前部および後部枠部とによって画定される実質的に多角形の構造であり、前記複数の相互に係合される杭状突起および杭状突起開口が、該枠部材の側枠部によって画定される、請求項１に記載の棚組立体。
【請求項１６】
前記枠部材が、各々、対向して隔置された実質的に平行な側枠部と対向して隔置された実質的に平行な前部および後部枠部とによって画定される実質的に多角形の構造であり、前記複数の相互に係合される杭状突起および杭状突起開口が、該枠部材の前部および後部枠部によって画定される、請求項１に記載の棚組立体。
【請求項１７】
前記枠部材が、各々、対向して隔置された実質的に平行な側枠部と対向して隔置された実質的に平行な前部および後部枠部とによって画定される実質的に多角形の構造であり、前記複数の相互に係合される杭状突起および杭状突起開口が、該枠部材の側枠部、後部枠部および前部枠部によって画定される、請求項１に記載の棚組立体。
【請求項１８】
前記枠部材が、各々、対向して隔置された実質的に平行な側枠部と対向して隔置された実質的に平行な前部および後部枠部とによって画定される実質的に多角形の構造であり、前記複数の相互に係合された杭状突起および杭状突起開口が、該枠部材の側枠部によって画定され、該杭状突起のうちの少なくとも２つの軸が互いに対して実質的に垂直である、請求項１に記載の棚組立体。
【請求項１９】
前記枠部材が、各々、対向して隔置された実質的に平行な側枠部と対向して隔置された実質的に平行な前部および後部枠部とによって画定される実質的に多角形の構造であり、前記複数の相互に係合される杭状突起および杭状突起開口が、該枠部材の側枠部によって画定され、該杭状突起のうちの少なくとも２つの軸が互いに対して実質的に平行である、請求項１に記載の棚組立体。
【請求項２０】
前記枠部材が、各々、対向して隔置された実質的に平行な側枠部と対向して隔置された実質的に平行な前部および後部枠部とによって画定される実質的に多角形の構造であり、前記複数の相互に係合される杭状突起および杭状突起開口が、該枠部材の側枠部によって画定され、該杭状突起のうちの少なくとも２つの軸が互いに対して実質的に垂直であり、該杭状突起のうちの少なくとも他の２つの軸が互いに対して実質的に平行である、請求項１に記載の棚組立体。
【請求項２１】
各枠部材が、当該棚組立体が、前記棚パネルが実質的に水平である使用の位置に配置される時に、各々が、実質的に水平なフランジと実質的に垂直なフランジとによって画定される実質的にＬ字型の横断面構造である、対向して隔置された実質的に平行な枠部を有する、請求項１に記載の棚組立体。
【請求項２２】
各枠部材が、当該棚組立体が、前記棚パネルが実質的に水平である使用の位置に配置される時に、各々が、実質的に水平なフランジと実質的に垂直なフランジとによって画定される実質的にＬ字型の横断面構造である、対向して隔置された実質的に平行な枠部を有し、該使用の位置において、該垂直なフランジが下方に突出し、該水平なフランジが実質的に共通する水平面に配置される、請求項１に記載の棚組立体。
【請求項２３】
各枠部材が、当該棚組立体が、前記棚パネルが実質的に水平である使用の位置に配置される時に、各々が、実質的に水平なフランジと実質的に垂直なフランジとによって画定される実質的にＬ字型の横断面構造である、対向して隔置された実質的に平行な枠部を有し、該棚パネルの外側周縁部が、該水平なフランジ間に差し込まれる、請求項１に記載の棚組立体。
【請求項２４】
各枠部材が、当該棚組立体が、前記棚パネルが実質的に水平である使用の位置に配置される時に、各々が、実質的に水平なフランジと実質的に垂直なフランジとによって画定される実質的にＬ字型の横断面構造である、対向して隔置された実質的に平行な枠部を有し、前記複数の杭状突起が、該垂直なフランジのうちの少なくとも２つから突出する、請求項１に記載の棚組立体。
【請求項２５】
各枠部材が、当該棚組立体が、前記棚パネルが実質的に水平である使用の位置に配置される時に、各々が、実質的に水平なフランジと実質的に垂直なフランジとによって画定される実質的にＬ字型の横断面構造である、対向して隔置された実質的に平行な枠部を有し、前記複数の杭状突起が、同じ枠部材の垂直なフランジから突出する、請求項１に記載の棚組立体。
【請求項２６】
各枠部材が、当該棚組立体が、前記棚パネルが実質的に水平である使用の位置に配置される時に、各々が、実質的に水平なフランジと実質的に垂直なフランジとによって画定される実質的にＬ字型の横断面構造である、対向して隔置された実質的に平行な枠部を有し、前記複数の杭状突起が、同じ枠部材の垂直なフランジから反対方向に突出する、請求項１に記載の棚組立体。
【請求項２７】
各枠部材が、当該棚組立体が、前記棚パネルが実質的に水平である使用の位置に配置される時に、各々が、実質的に水平なフランジと実質的に垂直なフランジとによって画定される実質的にＬ字型の横断面構造である、対向して隔置された実質的に平行な枠部であって、前記垂直なフランジが下方に突出し、前記水平なフランジが、該使用の位置において実質的に共通する水平面に配置される枠部と、当該棚組立体を該使用の位置で支持する一対の手段と、該支持する手段のうちの１つを、該枠部材の対向して隔置された実質的に平行な枠部のうちの１つの少なくとも１つの垂直なフランジに固定する手段と、を有する、請求項１に記載の棚組立体。
【請求項２８】
各枠部材が、当該棚組立体が、前記棚パネルが実質的に水平である使用の位置に配置される時に、各々が、実質的に水平なフランジと実質的に垂直なフランジとによって画定される実質的にＬ字型の横断面構造である、対向して隔置された実質的に平行な枠部であって、該使用の位置において、前記垂直なフランジが下方に突出し、該水平なフランジが実質的に共通の水平面に配置される枠部と、当該棚組立体を該使用の位置で支持する一対の手段と、該支持する手段のうちの１つを、該枠部材の対向して隔置された実質的に平行な枠部のうちの１つの少なくとも１つの垂直なフランジに固定する手段と、を有し、該固定する手段が、各々がかしめ頭部を有する該支持する手段の開口を通して突出する該最後に述べた垂直なフランジの杭状突起を含む、請求項１に記載の棚組立体。
【請求項２９】
前記杭状突起および杭状突起開口が、前記棚パネルの外側周縁部の外側にある、請求項１に記載の棚組立体。
【請求項３０】
前記枠部材が、上部枠部材と下部枠部材とを有し、該上部枠部材が前記杭状突起のうちの少なくともいくつかを備え、該下部枠部材が該杭状突起開口のうちの少なくともいくつかを備える、請求項１に記載の棚組立体。
【請求項３１】
前記枠部材が、上部枠部材と下部枠部材とを有し、該上部枠部材が前記杭状突起を備え、該下部枠部材が前記杭状突起開口を備える、請求項１に記載の棚組立体。
【請求項３２】
前記枠部材のうちの少なくとも１つが、実質的に垂直なフランジおよび水平なフランジによって画定される実質的にＬ字型の横断面構造の対向する側枠部を有し、該垂直なフランジが、該対向する側枠部において前記棚パネルの外側周縁部の周囲を覆う、請求項１に記載の棚組立体。
【請求項３３】
前記枠部材が合わせて、当該棚組立体の最上および最下の対向する面を区切り、前記杭頭部が、該最上および最下の対向する面の間に配置される、請求項１に記載の棚組立体。
【請求項３４】
開口を画定する内側周縁部を有する少なくとも１つの実質的に開放した枠部材と、外側周縁部を有する棚パネルと、を備えた棚組立体であって、該枠部材が、当該棚組立体が、該棚パネルが実質的に水平である使用の位置に配置される時に、各々が、実質的に水平なフランジと実質的に下方に向いた垂直なフランジとによって画定される実質的にＬ字型の横断面構造である、対向して隔置された実質的に平行な枠部と、該棚組立体の使用の位置において、各々が、実質的に水平なフランジと実質的に下方に向いた垂直なフランジとによって画定される実質的にＬ字型の横断面構造である一対の支持ブラケットであって、該棚パネルの外側周縁部が、該枠部材の該水平なフランジと一対の支持ブラケットとの間に差し込まれる、一対の支持ブラケットと、該枠部材および支持ブラケットのフランジのうちの少なくとも選択されたものを互いに固定する手段と、を有し、該開放した枠部材と該一対の支持ブラケットとのうちの少なくとも１つが、合成重合体／共重合体プラスチック材料から形成され、該固定する手段が、複数の相互に係合する、該合成重合体／共重合体プラスチック材料から形成される杭状突起と、杭状突起開口と、によって画定され、該杭状突起が、該選択されたフランジを互いに固定する杭頭部を有する、棚組立体。
【請求項３５】
前記支持ブラケットの実質的に水平なフランジが、互いに対向する実質的に位置合せされた関係にある、請求項３４に記載の棚組立体。
【請求項３６】
前記棚パネルを前記枠部材に対して位置決めする手段を有する、請求項３４に記載の棚組立体。
【請求項３７】
前記棚パネルを前記枠部材に対して位置決めする手段を有し、該位置決めする手段が、前記枠部材のフランジによって支持される、請求項３４に記載の棚組立体。
【請求項３８】
前記枠部材および支持ブラケットのフランジのうちの前記選択されたものが、水平なフランジである、請求項３４に記載の棚組立体。
【請求項３９】
前記枠部材および支持ブラケットのフランジのうちの前記選択されたものが、垂直なフランジである、請求項３４に記載の棚組立体。
【請求項４０】
前記枠部材および支持ブラケットのフランジのうちの前記選択されたものが、水平なフランジと垂直なフランジとである、請求項３４に記載の棚組立体。
【請求項４１】
前記枠部材が最外面を有し、該枠部材の最外面において杭頭部が見えない、請求項３４に記載の棚組立体。
【請求項４２】
前記棚パネルを前記枠部材に対して位置決めする手段を有する、請求項３４に記載の棚組立体。
【請求項４３】
前記棚パネルを前記枠部材に対して位置決めする手段を有し、該位置決めする手段が前記枠部材のフランジによって支持される、請求項３４に記載の棚組立体。
【請求項４４】
前記枠部材が最外面を有し、該枠部材の最外面において杭頭部が見えない、請求項３５に記載の棚組立体。
【請求項４５】
前記枠部材が最外面を有し、該枠部材の最外面において杭頭部が見えない、請求項３６に記載の棚組立体。
【請求項４６】
前記枠部材が最外面を有し、該枠部材の最外面において杭頭部が見えない、請求項３８に記載の棚組立体。
【請求項４７】
前記枠部材が最外面を有し、該枠部材の最外面において杭頭部が見えない、請求項３９に記載の棚組立体。
【請求項４８】
前記枠部材が最外面を有し、該枠部材の最外面において杭頭部が見えない、請求項４０に記載の棚組立体。
【請求項４９】
前記枠部材が、前記合成重合体／共重合体プラスチック材料から形成され、前記一対の支持ブラケットが各々金属である、請求項３４に記載の棚組立体。
【請求項５０】
棚組立体を製造する方法であって、
（ａ）開口を画定し、かつ、該棚組立体が実質的に水平な使用位置に配置される時に、少なくとも一方が複数の現場（ｉｎ  ｓｉｔｕ）形成された合成重合体／共重合体プラスチック材料の杭状突起を有する、実質的に水平なフランジと下方に向いた垂直なフランジとによって画定される実質的にＬ字型の横断面構造の少なくとも１つの枠部を有する、合成重合体／共重合体プラスチック材料から形成される開放枠部材を提供するステップと、（ｂ）外側周縁部を有する棚パネルを提供するステップと、（ｃ）該使用位置において実質的に水平なフランジと下方に向いた垂直なフランジとによって画定され、該最後に述べた水平および垂直なフランジの少なくとも一方に複数の杭状突起開口がある、実質的にＬ字型の横断面構造の少なくとも１つの棚ブラケットを提供するステップと、（ｄ）該水平なフランジの間に該棚パネルの周縁部を差し込むステップと、（ｅ）該杭状突起を該杭状突起開口に挿入するステップと、（ｆ）該杭状突起の終端部をかしめることにより拡大杭頭部を形成するステップと、を含む方法。
【請求項５１】
前記開放枠と棚ブラケットとの前記垂直なフランジが、前記杭状突起および杭状突起開口を有する、請求項５０に記載の方法。
【請求項５２】
前記開放枠と端ブラケットとの前記水平なフランジが、前記杭状突起および杭状突起開口を有する、請求項５０に記載の方法。
【請求項５３】
前記開放枠と棚ブラケットとの前記垂直なフランジおよび水平なフランジが、前記杭状突起および杭状突起開口を有する、請求項５０に記載の方法。
【請求項５４】
前記開放枠が、前記棚組立体の使用位置において最上面と最下面とを有し、ステップ（ｄ）の実行中に該開放枠をその最上面が最上でないように方向付けるさらなるステップを含む、請求項５０に記載の方法。
【請求項５５】
前記開放枠が、前記棚組立体の使用位置において最上面と最下面とを有し、ステップ（ｅ）の実行中に該開放枠をその最上面が最上でないように方向付けるさらなるステップを含む、請求項５０に記載の方法。
【請求項５６】
前記開放枠が、前記棚組立体の使用位置において最上面と最下面とを有し、ステップ（ｄ）および（ｅ）の実行中に該開放枠をその最上面が最上でないように方向付けるさらなるステップを含む、請求項５０に記載の方法。
【請求項５７】
棚組立体を製造する方法であって、
（ａ）各々が開口を画定し、該棚組立体が実質的に水平な使用位置に配置される時に、各々が、実質的に水平なフランジと下方に向いた垂直なフランジとによって画定される実質的にＬ字型の横断面構造である対向する実質的に平行な枠部を有する一対の開放枠部材であって、該枠部材のうちの一方の該垂直なフランジが反対に向いた杭状突起を有する、一対の開放枠部材を提供するステップと、（ｂ）外側周縁部を有する棚パネルを提供するステップと、（ｃ）該使用位置において、各々が、実質的に水平なフランジと下方に向いた垂直なフランジとによって画定され、最後に述べた垂直なフランジに複数の杭状突起開口がある、実質的にＬ字型の横断面構造の一対の棚ブラケットを提供するステップと、（ｄ）該枠部材の該水平なフランジの間に該棚パネルの周縁部を差し込むステップと、（ｅ）該杭状突起を各棚ブラケットの該杭状突起開口に挿入するステップと、（ｆ）該杭状突起の終端部をかしめることにより拡大杭頭部を形成するステップと、を含む方法。
【請求項５８】
ステップ（ｅ）を実行する前に、前記枠部材を互いに固定するステップを含む、請求項５７に記載の方法。
【請求項５９】
ステップ（ｅ）を実行する前に、前記枠部材を互いにスナップ固定するステップを含む、請求項５７に記載の方法。
【請求項６０】
ステップ（ｅ）を実行する前に、各支持ブラケットを最内の枠部材の水平なフランジにスナップ固定するステップを含む、請求項５７に記載の方法。
【請求項６１】
ステップ（ｄ）を実行した後に、各支持ブラケットを最内の枠部材の水平なフランジにスナップ固定するステップを含む、請求項５７に記載の方法。
【請求項６２】
パネル組立体を製造する方法であって、
（ａ）各々が開口を画定し、複数の杭状突起および杭状突起開口のうちの少なくとも一方を有する一対の開放枠部材を提供するステップと、（ｂ）外側周縁部を有するパネルを提供するステップと、（ｃ）該一対の開放枠部材の間に該パネルの外側周縁部を差し込むステップと、（ｄ）該杭状突起を該杭状突起開口に挿入するステップと、（ｅ）該杭状突起の終端部をかしめることにより拡大杭頭部を形成するステップと、を含む方法。
【請求項６３】
前記パネル組立体の枠部材が、最上枠部材と最下枠部材とを有し、ステップ（ｄ）が、該最上枠部材の杭状突起を該最下枠部材の杭状突起開口に挿入することによって実行される、請求項６２に記載の方法。
【請求項６４】
前記パネル組立体の枠部材が、最上枠部材と最下枠部材とを有し、ステップ（ｄ）が、該最上枠部材の杭状突起を該最下枠部材の杭状突起開口に挿入することによって実行され、ステップ（ｅ）が、該最上枠部材の上面と下面との間に前記拡大杭頭部を閉じ込めることによって実行される、請求項６２に記載の方法。
【請求項６５】
前記枠部材のうちの一方に前記杭状突起を提供するステップと、該枠部材のうちの他方に前記杭状突起開口を提供するステップと、を含む、請求項６２に記載の方法。
【請求項６６】
前記パネル組立体の枠部材が、最上最外面と最下最外面とを有する最上枠部材と、最上面と最下面とを有する最下枠部材と、を有し、ステップ（ｄ）が、該最上枠部材の杭状突起を該最下枠部材の杭状突起開口に挿入することによって実行され、ステップ（ｅ）が、前記拡大杭頭部を該最上枠部材の最下最外面と該最下枠部材の最下面との間に閉じ込めることによって実行される、請求項６２に記載の方法。
【請求項６７】
前記枠部材が、最上枠部材と最下枠部材とを有し、該最上枠部材に前記杭状突起を提供し、該最下枠部材に前記杭状突起開口を提供する、請求項６２に記載の方法。
【請求項６８】
対向する側壁と棚組立体とを有する冷蔵庫室であって、各側壁が、上に棚組立体を摺動可能に支持する手段を有し、該棚組立体が、各々が開口を画定し複数の杭状突起および杭状突起開口のうちの少なくとも一方を有する、一対の実質的に開放した枠部材と、該枠部材の間に差し込まれた外側周縁部を有する棚パネルと、を有し、該杭状突起が、該杭状突起開口内に突出し、該杭状突起が、拡大杭頭部を形成するようにかしめられることにより該枠部材および棚パネルを組み立てられた関係で保持する軸方向終端部を有し、該枠部材のうちの一方が、各々が該側壁の支持する手段のうちの１つの上で摺動可能に支持される対向する側枠部を有する、冷蔵庫室。
【請求項６９】
前記杭状突起および杭状突起開口が、前記棚パネルの外側周縁部の外側である、請求項６８に記載の冷蔵庫室。
【請求項７０】
前記枠部材が、上部枠部材と下部枠部材とを有し、該上部枠部材が、前記杭状突起および杭状突起開口のうちの少なくとも一方を備え、該下部枠部材が、該杭状突起および杭状突起開口のうちの少なくとも他方を備える、請求項６８に記載の冷蔵庫室。
【請求項７１】
前記枠部材が、上部枠部材と下部枠部材とを有し、該上部枠部材が、前記杭状突起のうちの少なくともいくつかを備え、該下部枠部材が、前記杭状突起開口のうちの少なくともいくつかを備える、請求項６８に記載の冷蔵庫室。
【請求項７２】
前記一方の枠部材の対向する側枠部材の対向する側枠部が、各々、実質的に垂直なフランジおよび水平なフランジによって画定される実質的にＬ字型の横断面構造であり、該垂直なフランジが、該対向する側枠部において前記棚パネルの外側周縁部の周囲を覆う、請求項６８に記載の冷蔵庫室。
【請求項７３】
前記枠部材が合わせて、前記棚組立体の最上および最下の対向する面を区切り、前記杭頭部が、該最上および最下の対向する面との間に配置される、請求項６８に記載の冷蔵庫室。
【請求項７４】
前記開放した枠部材の一方とその前記杭状突起とが、一体の現場成形された合成重合体／共重合体プラスチック材料部材である、請求項６８に記載の冷蔵庫室。
【請求項７５】
前記開放した枠部材のうちの一方とその杭状突起とが、一体の現場成形された合成重合体／共重合体プラスチック材料部材である、請求項６９に記載の冷蔵庫室。
【請求項７６】
前記開放した枠部材のうちの一方とその杭状突起とが、一体の現場成形された合成重合体／共重合体プラスチック材料部材である、請求項７０に記載の冷蔵庫室。
【請求項７７】
前記開放した枠部材のうちの一方とその杭状突起とが、一体の現場成形された合成重合体／共重合体プラスチック材料部材である、請求項７１に記載の冷蔵庫室。
【請求項７８】
前記開放した枠部材のうちの一方とその杭状突起とが、一体の現場成形された合成重合体／共重合体プラスチック材料部材である、請求項７２に記載の冷蔵庫室。
【請求項７９】
前記開放した枠部材のうちの一方とその杭状突起とが、一体の現場成形された合成重合体／共重合体プラスチック材料部材である、請求項７３に記載の冷蔵庫室。
【発明の詳細な説明】
【背景技術】
【０００１】
従来の冷蔵庫の冷凍室と冷蔵室との両方には、通常、調整可能な棚が関連付けられている。かかる棚または棚組立体は、標準的に、片持ち式の段階的に調整可能な棚材として、もしくは冷凍室または冷蔵室の対向する側壁の溝穴または出っ張りに沿って摺動する摺動可能な棚として構成される。かかる棚および棚材の典型的なものは、摺動式も片持ち式もともに、以下の特許に開示されている。
【０００２】
オーンストランド（Ｏｈｎｓｔｒａｎｄ）に対して発行された（特許文献１）は、「接合剤として適当な材料からなる充填剤７」（第１頁、第５２〜５３行）の上に載るガラススラブ３について開示している。環状枠又は「トラスフランジ２」の出っ張り１（第１頁、第４０行）が、棚全体を支持する。ガラススラブ３は、基本的に上方から「落とし込まれる（ドロップインされる）（ｄｒｏｐｐｅｄ−ｉｎ）」。
【０００３】
枠に１枚のガラスを接着する代りに、ビーニック（Ｂｉｅｎｉｃｋ）に対するいくつかの特許（（特許文献２）および（特許文献３））は、１枚の強化ガラスが、実質的に多角形のプラスチック枠にスナップ嵌合する摺動棚を提供する。これは、各々が本出願の譲受人に譲渡された（特許文献４）、（特許文献５）および（特許文献６）に開示されるような、別々に塗布された接着剤の利用を排除し、かつ完全なリム封止を含まない。後者の３つの特許では、精巧な成形技法が必要である。それは、射出成形型の閉鎖中に一対の金属棚ブラケットと１枚の強化ガラスとを正確に保持し、その後、重合体／共重合体材料を成形型に射出して、１枚の強化ガラスに棚ブラケットを保持するリムまたは封止を作成するためである。このように、棚材組立体が摺動可能であるか、または従来の冷蔵庫室のトラックウェイを利用して垂直に調整することができるかに関わらず、ガラスと枠との接着、スナップ嵌合、封止等はすべて極めて一般的である。
【０００４】
ランドール（Ｒａｎｄａｌｌ）名義の（特許文献７）は、１枚の強化ガラスの縁が挿入されるリムを有する棚を開示しており、そのリムには、その後複数の楔部材が挿入され、楔部材が、ガラスの縁を受け入れる切欠きまたは溝穴に押し込まれることにより、組み立てられたそれら部品が保持される。
【０００５】
他の多数の特許が、ウィットコム（Ｗｈｉｔｃｏｍｂ）に対する（特許文献８）におけるような単一片のプラスチック材料からなる枠、ポールセン（Ｐｏｕｌｓｅｎ）に付与された（特許文献９）におけるような個々の枠部材、アベンダノ（Ａｖｅｎｄａｎｏ）名義の（特許文献１０）におけるような押出し成形されたリム、およびドナフィー（Ｄｏｎａｇｈｙ）名義の（特許文献１１）におけるような複数片からなる強化枠を開示している。
【０００６】
これらの特許および（特許文献２）に列挙された特許の棚は、摺動棚であっても垂直に段階的調整可能な棚であっても、棚材、特に冷蔵庫で利用される棚材または棚組立体の分野において全体として従来技術の範囲および内容を適切に反映する。
【特許文献１】米国特許第１，１１９，９８２号明細書
【特許文献２】米国特許第６，４２２，６７３号明細書
【特許文献３】米国特許第６，６７９，５７３号明細書
【特許文献４】米国特許第５，３６２，１４５号明細書
【特許文献５】米国特許第５，４２９，４３３号明細書
【特許文献６】米国特許第５，５２４，９８１号明細書
【特許文献７】米国特許第４，８８６，２３６号明細書
【特許文献８】米国特許第３，６３３，９８３号明細書
【特許文献９】米国特許第４，９２３，２６０号明細書
【特許文献１０】米国特許第５，９４７，５７４号明細書
【特許文献１１】米国特許第４，９６０，３０８号明細書
【発明の開示】
【発明が解決しようとする課題】
【０００７】
特定の冷蔵庫に対して選択される特定の棚は、多数の要素によって決まり、それらのうちの主なものは価格である。明らかに、いわゆる最高級冷蔵庫の場合、一般に、より高価で、耐久性があり、審美的である等の棚材が利用され、最良のかつ／または最も高価な冷蔵庫のための最良の棚材は、本出願の譲受人によって製造される封止された棚材であり、それは、（特許文献６）、（特許文献４）、（特許文献５）等の特許に反映されている。かかる封止された棚材は、摺動棚であるか垂直に調整可能な棚であるかに関わらず、業界のいわゆる「キャデラック」であり、市場に出回っている高価な冷蔵庫の大部分に利用されている。特に中位の冷蔵庫およびより安価な冷蔵庫に対し、総卸売／小売価格がより競争的となってくるに従い、封止された棚等のより高価な棚は、製品の品質および製品の審美性に関わらず競争的に不利であることが分かる。このために、（特許文献２）および（特許文献３）の棚が開発された。それらは、機能性に悪影響を与えることなくより低価格で優れた審美性を提供するためである。しかしながら、最適な棚または棚組立体は、最大の機能性と最高の審美性と最低の価格の組合せである。これを達成するために、本発明は、これら３つの目的の各々を、可能な限り低い製造コストで提供する。
【課題を解決するための手段】
【０００８】
新規な棚組立体または棚は、本発明に従って、摺動棚の場合は単に強化ガラスの単一パネルと２つのプラスチック枠部材とから、垂直に段階的調整可能な棚または棚組立体の場合は、１枚の強化ガラス、単一の枠部材および２つの支持ブラケットから構成される。両方の場合において、接着剤が不要であり、その代わりに、棚の部品には、摺動であっても垂直に段階的調整可能であっても、複数の相互に係合可能な杭状突起および杭状突起開口が設けられる。適当に組み立てられると、杭状突起の軸方向端部が据え込みまたはかしめられることにより拡大頭部が形成され、それらは、摺動棚および垂直に段階的調整可能な棚材を製造する夫々の際に、棚枠を強化ガラスパネルに、または一対の棚ブラケット、単一の棚枠および強化ガラスパネルを互いに結合する。
【０００９】
さらに本発明によれば、摺動棚と垂直に段階的調整可能な棚との両方の場合において、２つの重合体／共重合体プラスチック枠が利用され、互いにかしめることによって組み立てられることにより、棚組立体に追加の強度／補強を与える。
【００１０】
本発明によれば、１枚の強化ガラスと２つの枠部材とから作成される棚組立体の場合、枠部材のうちの一方に杭状突起が設けられ、他方の枠部材に、杭状突起を受け入れるための開口が設けられる。２つの枠部材の間に、強化ガラスパネルの周縁部が差し込まれ、杭状突起の軸方向端部のかしめ時に、棚の３つの部品が、接着剤、結合材、密封剤等なしに、互いに確実にかつ強固に組み立てられる。
【００１１】
垂直に段階的調整可能な棚の場合、一対の枠部材のうちの少なくとも一方が、杭状突起を備える垂れ下がった垂直なフランジを有することが好ましく、杭状突起は、棚ブラケットの開口内にかつそれを通して挿入され、その後、かしめまたは圧造されることにより、棚部品を強固な、結合された、審美的な棚組立体に保持する。
【００１２】
上記および以下に明らかとなる他の目的を考慮して、以下の詳細な説明と、添付の特許請求の範囲と、添付図面に示すいくつかの図と、を参照することにより、本発明の特徴がより明確に理解されるであろう。
【発明を実施するための最良の形態】
【００１３】
本発明によって構成された新規な棚または棚組立体を、図面の図１〜図８に示し、それを概して参照数字１０で示す。棚または棚組立体１０は、従来の冷蔵庫Ｒの冷凍室および／または冷蔵室Ｃにおいて、実質的に垂直に配置された、従来の一対の溝穴付きトラックＴ１、Ｔ２（図１２）に対して、垂直方向に段階的に調整されるように設計される。冷蔵庫Ｒの冷凍室および／または冷蔵室Ｃはまた、後に完全に説明する本発明の別の棚１０’を摺動可能に収容するために、室Ｃの夫々の側壁Ｓ１、Ｓ２に、対向する水平に位置合せされかつ垂直に隔置された出っ張りＬ１、Ｌ２の対も有する。
【００１４】
図１〜図８および図１２の棚組立体１０は、上部、最上部、外側または最外の開放枠部材１１と、内側、最内、下部または最下部の実質的に多角形の開放枠部材３１と、を含む、一対の実質的に多角形の開放した重合体／共重合体合成プラスチック材料の枠部材によって画定される。棚組立体１０はさらに、実質的に多角形の強化ガラスパネルまたは１枚のガラス５０と、一対の実質的に同一の金属棚ブラケットまたは棚支持ブラケット７０、７０と、を含む。
【００１５】
外側開放枠部材１１は、実質的に多角形の開口１３を画定する内側多角形周縁部１２と、一対の実質的に平行な側枠部材部１４、１５と、前方にかつ下方に湾曲した指で把持するための壁部１９を有する前部枠部材部１６と、前部枠部材部１６に実質的に平行な後部枠部材部１７と、を有する。
【００１６】
側枠部材部１４、１５は、各々水平フランジ１８と、図１に示すように、下方に向いた垂直フランジ２０と、を有し、側枠部材部１４、１５の水平フランジ１８、１８は、実質的に互いに対向する関係にある。
【００１７】
側枠部材部１４、１５の各水平フランジ１８、１８は、位置決めリブまたはバー２１の形態の手段を備え、それらはまた、前部枠部材部１６および後部枠部材部１７に沿って続くフランジ１８、１８に沿って設けられている。位置決めリブ、バーまたは当接部２１は、強化ガラスパネル５０の周縁部５１に実質的に対応する周囲寸法を区切る。これにより、ガラスパネル５０を、図２に示す位置から図３から明らかな位置まで、上部開放枠部材１１内に「ドロップイン式に（ｄｒｏｐｐｅｄ−ｉｎ）」挿入することができる。図３では、ガラスパネル５０が外側枠部材１１の開口１３内に正確に配置されかつそれを閉鎖する。
【００１８】
側枠部材部１４、１５の垂直フランジ２０、２０は、各々、４つの内側に向けられた対向する位置決め／ラッチタブまたはトング２２を有し、それらは各々、下部／内側開放枠部材３１の垂直フランジ３８の関連する位置決め開口３２（図２、図６および図７）に収納されかつスナップ固定される。トング２２が開口３２（図２）に位置合せされる限り、下部開放枠部材３１を、図２に示す位置から上部／外側開放枠部材１１内に下方に移動させるだけでよく、トング２２は各々、側枠部材部１４、１５の垂直フランジ２０の外側への撓みとそれに続く内側への跳ね返りとの間に開口３２のうちの１つにスナップする。
【００１９】
外側開放枠部材１１はまた、前部枠部材部１６および後部枠部材部１７に沿った４つの杭状突起２５と、側枠部材部１４、１５の垂直フランジ２０の各々に沿った３つの杭状突起２５と、を有する。側枠部材部１４、１５の杭状突起２５は、互いに軸方向に位置合せされた対向する関係にあり、それらの軸（番号は付していない）は、前部枠部材部１６および後部枠部材部１７夫々の杭状突起２５の軸に対して実質的に垂直である。
【００２０】
内側／下部の実質的に開放した枠部材３１は、同様に、寸法が外側枠部材１１の内側周縁部１２に対応する内側周縁部（番号は付していない）を有し、実質的に多角形の開口３３を画定する。内側開放枠部材３１は、外側開放枠部材１１の夫々の枠部材部１４〜１７とともに位置合せされた組立体を形成するように方向付けられている、実質的に平行に隔置された側枠部材部３４、３５と、前部枠部材部３６と、後部枠部材部３７と、を有する。
【００２１】
側枠部材部３４、３５の各々は、略Ｌ字型の横断面構造であり（図６〜図８）、垂直な垂れ下がるフランジ３８と水平フランジ４０とによって画定され、水平フランジ４０は、対向する位置合せされた関係で配置される。水平フランジ４０は、後により明らかとなるように、４つの実質的に同一のＬ字型の位置決めかつ保持用脚部、鼻部または足部４１を有し、その端部４２（図６）は、夫々の水平フランジ４０の上方に隔置されており、その水平フランジ４０とともに夫々の棚ブラケット７０の水平フランジ７３各々に対する位置決めまたは保持チャネル４３を画定する。側枠部材部３４、３５の垂直フランジ３８の各々は、上述した位置決め開口またはスロット３２のうちの４つを有し、各フランジ３８における４つの位置決め開口３２のうちの３つの上には、図２に示すように上方に開口するスロット４５がある。側枠部材部３４、３５の垂直フランジ３８のスロット４５は、互いに位置合せされており、各々、各金属棚ブラケット７０の垂直フランジ７２における杭状突起収納開口または杭状突起開口７１と位置合せされる。各金属棚ブラケット７０はまた、互いに位置合せされた対向する関係で配置される水平フランジ７３と、一対のフック７５と、を有する。切欠きまたはスロット４５は、各々、図３から容易に明らかとなるように、側枠部材部１４、１５の垂直フランジ２０から内側に突出する杭状突起２５のうちの１つを収納または収容する。図３の棚１０の部分的に組み立てられた状態では、外側枠１１の前部枠部材部１６および後部枠部材部１７の杭状突起２５は、内側または下部開放枠部材３１の夫々の前部枠部材部３６および後部枠部材部３７の杭状突起開口３９内にかつそれを通して突出する。外側枠部材１１の側枠部材部１４、１５の杭状突起２５は、すぐ後に説明するように、各々、下部枠部材３１の側枠部材部３４、３５の垂直フランジ３８の切欠き４５のうちの１つを通して突出し、また、棚ブラケット７０（図４）の杭状突起収納開口７１を貫通する。このため、後述するように、杭状突起２５の１４個の軸方向終端部（数字は付していない）（図３にはそのうちの１１個を示す）に対し、熱および圧力変形による後のかしめまたは拡大のために接触することができる。
【００２２】
図３に示す棚組立体１０の部分組立体が完成した後、棚ブラケット７０の各々を図３および図４に示すように左から右に摺動させることにより、図４に示す位置に各棚ブラケット７０を挿入する。図４では、側枠部材部１４、１５の垂直フランジ２０の杭状突起２５は、棚ブラケット７０の杭状突起開口７１を通して突出し、各水平フランジ７３は、関連する脚部４２（図６）の真下にかつそれによって形成された各位置決め部材４１のチャネル４３内に係合する。
【００２３】
図３に関して上述した方法で金属棚ブラケット７０、７０を左から右に摺動させる代わりに、図２に示すように、実質的に、図３の側枠部材部１４、３４、１５、３５に対し並列する関係で配置してもよい。そして、水平フランジ７３を単に、位置決め部材４１の脚部または鼻部４１の下で摺動させ、一時的に垂直フランジ２０が外側に撓むが後に図４および図６に示す組立位置まで跳ね返るようにする。
【００２４】
図４の棚または棚組立体１０の全体を組み立てた後、１４個の杭状突起２５の各々の露出した軸方向端部（番号は付していない）を、従来の方法で熱および圧力を印加して同時にかしめ、それにより、プラスチック材料が変形し、強固に組み立てられた棚１０の部品を維持しかつ保持する拡大頭部またはかしめ頭部６０が形成される。その後、従来の方法で冷蔵庫Ｒの室Ｃ（図１２）内で棚１０を段階的に調整することができるように、棚ブラケット７０のフック７５をトラックウェイＴ１、Ｔ２の任意の選択された水平に位置合せされたスロットの対（数字は付していない）に引っ掛けることにより、棚または棚組立体１０を室Ｃ内で利用することができる。
【００２５】
先に暗に示した棚または棚組立体１０’を、図面の図９〜図１１に示し、プライムを付した参照数字を適用することにより、棚または棚組立体１０に関して上述した構造と実質的に同一に対応する構造を識別する。しかしながら、２つの棚１０、１０’間の主な相違は、棚１０は、上述した段階的な調整を行うために２つの金属棚ブラケット７０、７０を有するが、棚１０’は、かかる金属棚ブラケットがなく、３つの部品によって画定された摺動棚、すなわち、上部、最上部、外側または最外の開放枠部材１１’と内側、最内、下部または最下の実質的に多角形の開放枠部材３１’とを含む、一対の実質的に多角形の開放した重合体／共重合体合成プラスチック材料枠部材として形成される。棚組立体１０’はさらに、多角形の周縁部５１’を有する実質的に多角形の強化ガラスパネルまたは１枚のガラス５０’を含む。
【００２６】
外側開放枠部材１１’は、軸が互いに実質的に平行な関係にある１６個の上方に向いた杭状突起２５’を有し、各杭状突起２５’は、内側下部開放枠部材３１’（図９）の杭状突起収納開口または杭状突起開口３９’内に相互係合するようにかつそれらと位置合せされる。
【００２７】
図２〜図４に関して説明した棚１０の組立体の場合と同様に、強化ガラスパネル５０’を上部開放枠部材１１’内に、その正確な位置を位置決めリブ２１’によって確実にしてドロップイン挿入しまたは配置することにより同様に組み立てる。その後、下部開放枠部材３１’を、図９に示す位置から図１０に示す位置まで下方に移動させる。図１０では、上方に向いた杭状突起の各々の軸方向端部（数字は付していない）は、杭状突起開口３９’内にかつそれを通して突出し、強化ガラスパネル５０’の周縁部５１’は、夫々の開放枠部材１１’、３１’のフランジ１８’、４０’の間に差し込まれる。図１１にもっともよく示すように、下部開放枠部材３１’の垂直な下方に向いたフランジ３８’は、下部開放枠部材３１’の外側周縁全体に延在し、外側／上部開放枠部材１１’の水平フランジ１８’の内面（数字は付していない）にもたれかかる。このように、周縁の垂直フランジ３８’が、下部開放枠部材３１’の周縁全体を補強することにより、各杭状突起２５’の軸方向端部をその拡大かしめ頭部６０’を形成するように加熱圧力下でかしめる場合に（図１１）、下部開放枠部材３１’が熱および圧力の印加によって歪まないようにする。杭状／拡大頭部６０’を含む１６個のかしめられた突起２５’は、従来の方法で冷蔵庫室Ｃ（図１２）の出っ張りＬ１、Ｌ２に関連して使用されるように、強固に組み立てられた関係で摺動棚１０’を維持する。図１３から、側枠部材部１４’および１５’の各垂れ下がる垂直フランジ２０’が、出っ張りＬ１、Ｌ２に沿って乗り、拡大かしめ頭部６０’が出っ張りＬ１、Ｌ２の上面（数字は付していない）の十分上に隔置されかつそれらに沿って摺動しないような方法で棚１０’を支持する、最下面６５を有する、ということを特に留意すべきである。これにより、拡大かしめ頭部６０’が、棚１０’の使用中に一定の摺動摩擦の影響により、特にその上に配置された物品の荷重により摩損しない。拡大かしめ頭部６０’が摩損しないため、棚１０’の寿命が拡大し延長する。また、審美的観点から、杭状突起２５、２５’またはさらに言えばロック部材またはトング２２、脚部４１または開口３２のいずれも、棚１０、１０’を使用する時（図１２）に上方から見えない、ということにも特に留意すべきである。言い換えれば、最上開放枠部材１１、１１’の最上／最外面（数字は付していない）は、本質的に平滑であり、連続しており、上述した内部に隠れた部品が明らかに目に見えないようにする。このため、使用位置（図１２）で見ると、棚１０、１０’は、比較的高いコストなしに高価で高級な封止された棚の外観を与えながら、優れた機能性と封止された棚材の高審美性を保持する。
【００２８】
別の垂直に段階的調整可能な棚または棚材組立体１０’’’を、図面の図１４および図１５に示し、それは、１つを除くすべての材料態様が棚１０に対応する。すなわち、棚１０’’’は、上部外側開放枠部材１１’’’と、１枚の耐熱ガラスまたはガラスパネル５０’’’と、一対の金属棚ブラケット７０’’’と、を含む一方で、対応する開放内側下部枠部材３１を含んでいない。一対の金属棚ブラケット７０’’’は、各々、複数の杭状突起開口７１’’’を有する垂直フランジ７２’と、一対のフック７５’’’と、水平フランジ７３’’’と、を有する。図１５からもっとも明らかであるように、強化ガラスパネル５０’’’の周縁部５１’’’は、内側開放枠部材１１’’’のフランジ１８’’’と金属棚ブラケット７０’’’の各々のフランジ７３’’’との間に正確に位置決めされかつ差し込まれている。冷蔵庫Ｒの室Ｃに製品を支持するために適した強固な組立体になるように部品を組み立てるために上述したように、外側上部開放枠部材１１’’’の垂直フランジ２０’’’の各々の杭状突起２５’’’は、杭状突起開口７１’’’を通して突出し、熱および圧力下で拡大かしめ頭部６０’’’が設けられる。しかしながら、棚１０’’’の上部開放枠部材１１’’’の前部部材部１６’’’または後部部材部１７’’’夫々に沿って杭状突起２５’’’がないため、これらの部分において、強化ガラスパネル５０’’’の上面（数字は付していない）を前部枠部材部１６’’’および後部枠部材部１７’’’夫々の水平フランジ１８’’’の下側に直接接着または接合するために適当な接合材料または接着剤を利用することができる。
【００２９】
本明細書において、本発明の好ましい実施形態を特に例示し説明したが、添付の特許請求の範囲によって定義されるように、本発明の精神および範囲から逸脱することなく、装置に対し重要でない変更を行ってもよい、ということを理解しなければならない。
【図面の簡単な説明】
【００３０】
【図１】本発明によって構成された新規の棚または棚組立体の正面平面斜視図であり、各々が一対のフックを有する一対の金属棚ブラケットと、強化ガラスパネルと、まとめて棚のガラスパネルに接するリムを画定する２つの略多角形の開放枠部材と、を示す。
【図２】図１の棚組立体の下側の組立分解部分斜視図であり、下から上に、部品を組み立てる前の上部／外側多角形開放枠部材と、強化ガラスパネルと、下部／内側多角形開放枠部材と、棚ブラケットの対と、を示す。
【図３】部分的に組み立てられた図２の棚組立体の平面斜視図であり、強化ガラスパネルの周縁部が上部多角形開放枠部材と下部多角形開放枠部材との間に差し込まれた状態を示し、上部最外開放枠部材の杭状突起が、下部最内開放枠部材の杭状突起開口に各々収納されている。
【図４】図３の棚組立体の斜視図であり、金属棚ブラケットの杭状突起開口が上部開放枠部材の側枠部の杭状突起を収納する状態を示す。
【図５】図４の棚組立体の平面斜視図であり、杭状突起の軸方向端部が棚組立体の部品を組み立てられた関係で保持するようにかしめられまたは拡大された状態を示す。
【図６】概して図４の線６−６に沿った拡大部分断面図であり、内側および外側開放枠部材の側枠部および金属棚ブラケットの略Ｌ字型横断面構造と、内側開放枠部材の位置決め開口にスナップ固定された外側枠部材の位置決め部材またはトングと、棚ブラケットの杭状突起開口を通して突出する外側枠部材の杭状突起と、内側開放枠部材の略反転Ｌ字型位置決め部または脚部の真下に係合する棚ブラケットの水平フランジと、を示し、強化ガラスパネルの周縁部が、内側および外側開放枠部材の側部の水平フランジ間に差し込まれている。
【図７】概して図５の線７−７に沿った拡大部分断面図であり、図６に関して説明したものと同一の部品を示し、さらに、杭状突起の軸方向終端部が棚部品を組み立てられた関係で保持するようにかしめられることにより拡大かしめ頭部になっている状態を示す。
【図８】概して図５の線８−８に沿った拡大部分断面図であり、棚組立体の後部枠部に沿って配置された拡大杭頭部を有する複数の杭状突起を示し、その軸は、外側枠部材の側部の垂直フランジの杭状突起の軸に対して実質的に垂直である。
【図９】別の棚組立体、特に摺動棚の組立分解部分斜視図であり、結合される前の一対の略多角形の開放上部および下部枠部材ならびに多角形強化ガラスパネルと、強化ガラスパネルを上部開放枠部材に対して位置決めする複数の当接バーと、上部開放枠部材の上方に突出する杭状突起と、それに関連する下部開放枠部材の杭状突起開口と、を示す。
【図１０】図９の摺動棚または摺動棚組立体の斜視図であり、部品が組み立てられた関係で合わせてかしめられた状態を示す。
【図１１】概して図１０の線１１−１１に沿った部分拡大断面図であり、多角形強化ガラスパネルの周縁部が上部／外側開放枠部材の水平フランジと下部／内側開放枠部材の水平フランジとの間に差し込まれ、それによってそれらが、各々が杭状突起開口を通して収納されその内部で拡大／かしめ頭部により保持される複数の杭状突起のうちの１つによって合わせて保持される方法を示す。
【図１２】冷蔵庫の一対の並列した室のうちの１つを含む冷蔵庫の正面部分斜視図であり、夫々一対の溝穴付き垂直トラックウェイに組み立てられかつ対向する側壁の出っ張りの上で摺動可能である図１および図１０の棚を示す。
【図１３】概して図１２の線３−３に沿った拡大断面図であり、外側開放枠部材の側枠部の垂直フランジの下面が冷蔵庫室の出っ張りのうちの１つの上面の上を摺動する方法を示す。
【図１４】本発明によって構成された別の段階的調整可能な棚または棚組立体の底面斜視図であり、上部／外側略多角形開放枠部材と、実質的に多角形の強化ガラスパネルと、一対の金属棚ブラケットと、を示し、それらは、金属棚ブラケットの杭状突起開口に収容されかつその軸方向端部において拡大かしめ頭部を有する開放枠部材の複数の杭状突起により、組み立てられた関係で合わせて保持されている。
【図１５】概して図１４の線１５−１５に沿った拡大部分断面図であり、図１４の室をより詳細に示し、杭状突起開口を通して突出するかしめられた突起のうちの１つと、杭状突起の拡大かしめ頭部と、を含む。
【符号の説明】
【００３１】
１０、１０’、１０’’’  棚組立体
１１、１１’、１１’’’  開放枠部材
１２  周縁部
１３  開口
１４、１４’  側枠部材部
１５、１５’  側枠部材部
１６、１６’’’  前部枠部材部
１７、１７’’’  後部枠部材部
１８、１８’、１８’’’  水平フランジ
１９  壁部
２０、２０’、２０’’’  垂直フランジ
２１、２１’  位置決めリブまたはバー
２２  位置決めラッチタブまたはトング
２５、２５’、２５’’’  杭状突起
３１、３１’  開放枠部材
３２  開口またはスロット
３３  開口
３４  側枠部材部
３５  側枠部材部
３６  前部枠部材部
３７  後部枠部材部
３８、３８’  垂直フランジ
３９、３９’  杭状突起開口
４０、４０’  水平フランジ
４１  位置決め脚部、鼻部または足部
４２  端部、脚部
４３  保持チャネル
４５  切欠きまたはスロット
５０、５０’、５０’’’  強化ガラスパネル
５１、５１’、５１’’’  周縁部
６０、６０’、６０’’’  拡大頭部またはかしめ頭部
６５  最下面
７０、７０’’’  棚ブラケット
７１、７１’’’  杭状突起開口
７２、７２’  垂直フランジ
７３、７３’’’  水平フランジ
７５、７５’’’  フック
Ｒ  冷蔵庫
Ｃ  室
Ｌ１、Ｌ２  出っ張り
Ｓ１、Ｓ２  側壁
Ｔ１、Ｔ２  トラック
【図１】
2006187604.tif 000003
【図２】
2006187604.tif 000004
【図３】
2006187604.tif 000005
【図４】
2006187604.tif 000006
【図５】
2006187604.tif 000007
【図６】
2006187604.tif 000008
【図７】
2006187604.tif 000009
【図８】
2006187604.tif 000010
【図９】
2006187604.tif 000011
【図１０】
2006187604.tif 000012
【図１１】
2006187604.tif 000013
【図１２】
2006187604.tif 000014
【図１３】
2006187604.tif 000015
【図１４】
2006187604.tif 000016
【図１５】
2006187604.tif 000017
【外国語明細書】
2006187604000001.pdf